(57)【要約】  【課題】  塵埃を含む空気を完全に水洗濾過する。また本体や掃除機の錆び、故障を防止する。  【解決手段】  水洗式濾塵構造は、中空の容器からなり、水や洗剤類を入れる本体１１と、本体の中に配置され、空気を流すＬ形管１２と、本体内部に配置され、本体内部を上室と下室に分ける導孔構造を有する仕切り板１３と、本体底部に設けられ、エアパイプを接続し、大きなゴミを濾過収集する機能を有する底蓋１４と、本体頂部に設けられ、吸塵パイプを接続し、水分を濾過する機能を有する上蓋１５とにより構成される。【選択図】  図２
0003105922.tif 000002
【実用新案登録請求の範囲】
【請求項１】
中空の容器からなり、底部に防水ガスケットの孔を有し、頂部に口を有する、水又は液体を入れる本体と、
前記本体の中に配置され、一方の管口を前記本体底部の孔につなぎ、他方の管口を前記本体の側面壁に向けられる管材と、
前記本体の中に配置され、周辺を前記本体に密着して前記本体内部を上室と下室に分ける導孔構造を有する彎曲板からなる仕切り板と、
前記本体底部に前記本体に対して開閉可能に設けられ、内部に集塵槽と大きなゴミを濾過するフィルターとを有し、エアパイプを接続する底蓋と、
前記本体頂部に設けられ、上部の輸出口と水分を濾過するフィルターとを有し、ジョイントを介して吸塵パイプを接続する上蓋と、
を備えたことを特徴とする水洗式濾塵構造。
【請求項２】
本体内の両壁に仕切り板を支える支持部を有する請求項１に記載の水洗式濾塵構造。
【請求項３】
仕切り板は斜板、垂直板、水平板を有する一体構造をなす請求項１又は２に記載の水洗式濾塵構造。
【請求項４】
垂直板と平行に、上部に斜導板を具備する導流板を有し、前記垂直板と前記導流板がこれら二つの板の間に導孔効果を有する中空の頸環を介在して連結される請求項３に記載の水洗式濾塵構造。
【請求項５】
仕切り板の一番下の板に少なくとも排水用の開口を有する請求項１乃至４のいずれかに記載の水洗式濾塵構造。
【請求項６】
底蓋の集塵槽とエアパイプの挿通孔との間に配置され、前記挿通孔を開閉する膜片を有する請求項１乃至５のいずれかに記載の水洗式濾塵構造。
【請求項７】
管材にＬ形管又は逆Ｕ形管が採用される請求項１乃至６のいずれかに記載の水洗式濾塵構造。
【請求項８】
本体に取っ手を具備する請求項１乃至７のいずれかに記載の水洗式濾塵構造。
【考案の詳細な説明】
【技術分野】
【０００１】
本考案は、水洗式濾塵構造に関し、主に掃除機などのパイプ（吸器パイプ）の一部分として、埃や粉塵などを含む汚い空気を濾過するシステムに関する。
【背景技術】
【０００２】
水洗式洗塵構造の吸塵装置は既に商品化の段階となり、そのほとんどは掃除機内に適用されている。本願考案者は従前、掃除機濾過器、濾塵モップに関する発明を提案し、既にその特許を申請している（例えば、特許文献１参照。）。この掃除機濾過器は、図７に示すように、本体１、底蓋２、中心管３、フィルター４、上蓋５および滑管６などにより構成される。本体１は長い筒形の中空容器で、本体１内に中心管３が配置され、この中心管３のヘッドに輸出口３２が本体１の壁（周壁）に向けて設けられている。また、中心管３と輸出口３２とをつなぐ接続部分の周囲にはフィルター４が設けられ、このフィルター４により、本体１内部が上筒と下筒の二つに分けられる。下筒はスペースが大きく、その約半分のところまで水や洗剤が入れられる。本体１の底は底蓋２で閉められている。底蓋２の中心にジョイント管２１が設けられ、このジョイント管２１の上部が中心管３と接続され、下部に掃除機のエアパイプ９２が接続される。また、本体１のヘッドは上蓋５で閉められている。上蓋５の中心に滑管６が昇降可能に設けられ、この滑管６に伸縮バンドジョイント８で掃除機のパイプ９１が接続される。これにより、滑管６をアップ（上昇）させると、管の底が中心管３の輸出口３２から離され、逆に滑管６をダウン（下降）させると、管の底で中心管３の輸出口３２が閉じられる。
【０００３】
この濾過器の構造によれば、掃除機をかけると、図８に示すように、エアパイプ９２から空気が中心管３へ、さらに中心管３の輸出口３２から中空の本体１へと入っていく。中心管３の輸出口３２がフィルター４の上にあって、輸出口３２が本体１の壁に向けられているので、本体１の中でこの入ってきた空気の流れにローリング現象が発生する。このとき、大きなゴミが本体１内部のフィルター４で隔離されたフィルター４の上に当たる部分、つまり上筒に暫く止まり、またローリング状態の空気の吸引力により滑管６から掃除機の集塵袋へ吸い込まれていく。このようにして大きなゴミを収集することができる。他方、埃、砂、髪の毛などの小さなゴミは空気の流れとともに本体１内部のフィルター４で隔離されたフィルター４の下に当たる部分、つまり下筒の水又は液体の中に吸引され、また一部の軽量のゴミはフィルター４の下に止まり、下筒の水又は液体に発生する波（震動）や、ユーザーが吸塵パイプを動かすことにより生じる下筒の水又は液体の揺れで、水中又は液中に沈みこんでいく。このようにして塵埃を含む空気を水洗濾過することができる。
【特許文献１】台湾特許申請第９２２２１１５８号
【考案の開示】
【考案が解決しようとする課題】
【０００４】
しかしながら、上記従来の水洗式濾過構造では、下筒の空気の流れで下筒の水又は液体をローリングさせているが、空気の流れの一部は上筒で掃除機の吸引力に影響されて、下筒へは流れていかないために、一部のゴミが液体に接触せず、このため一部のゴミは水洗濾過の過程を経ず、排出されないまま吸塵器の集塵袋に吸い込まれてしまい、完全な水洗效果を発揮できないという問題がある。また、ユーザーが吸塵パイプを動かしていると、本体内の水又は液体が空気の流れとともに簡単に掃除機に吸引されてしまい、掃除機のモーターに錆びが発生し、故障の恐れがあり、また本体も錆びで故障しやすいという問題がある。
【０００５】
本考案は、このような従来の課題に鑑み、塵埃を含む空気を完全に水洗濾過すること、また本体内の水又は液体による掃除機や本体の錆びを防止して錆びによる故障をなくすことを目的とする。
【課題を解決するための手段】
【０００６】
上記課題を解決するために、本考案の水洗式濾塵構造は、中空の容器からなり、水や洗剤類を入れる本体と、本体の中に配置され、空気を流す管材と、本体内部に配置され、本体内部を上室と下室に分ける導孔構造を有する仕切り板と、本体底部に設けられ、エアパイプを接続し、大きなゴミを濾過収集する機能を有する底蓋と、本体頂部に設けられ、吸塵パイプを接続し、水分を濾過する機能を有する上蓋とを備える。
【０００７】
この水洗式濾塵構造はさらに次のように具体化される。本体は中空の容器で、底に防水ガスケットの円孔がある。上（ヘッド）は頂口で、この頂口から本体内に水や洗剤類を入れる。なお、本体には持ち易い取っ手を取り付けてもよい。管材はＬ形管で、本体の中に配置され、その一方の管口は本体の底にある円孔へつなぎ、他方の管口は本体の側面の壁に向けられる。なお、このＬ形管は逆Ｕ形管に代えてもよく、この場合、逆Ｕ形管の一方の管口は本体底部の円孔へ繋ぎ、他方の管口は本体内の側壁に向けられる。仕切り板は導孔構造を有する彎曲板で、本体の頂口から入れられ、周辺が本体と密着されて、本体内部が上室と下室に分けられる。この場合、本体内の両壁に仕切り板を支える導條（支持部）が設けられる。また、仕切り板は斜板、垂直板、水平板を有する一体構造とし、垂直板側に平行に導流板が設けられ、垂直板と導流板はこれら二つの板の間に導孔効果を有する中空の頸環を介在して連結される。また、導流板の上に斜導板が設けられる。さらに、仕切り板の一番下の板には少なくとも排水用の開口が設けられる。底蓋は本体の下にあり、本体との間に開閉できる部分である。この底蓋の中は集塵槽になっており、この集塵槽には大きなゴミを濾過するフィルターが設けられる。また、集塵槽の底部に中空挿孔が形成され、この中空挿孔にエアパイプが接続される。この場合、底蓋にある集塵槽に活葉のような膜片をつけられて、挿孔が閉じられる。上蓋は本体のヘッド（頂部）にあり、その上部に輸出口が設けられる。この上蓋の蓋口に水分を濾過するフィルターが設けられる。輸出口にジョイントが設けられ、このジョイントにより掃除機の吸塵パイプが接続される。
【考案の効果】
【０００８】
本考案の水洗式濾塵構造は、上記構成により、次のような作用効果を奏する。掃除機をかけると、外の空気がエアパイプから底蓋の集塵槽に入り、集塵槽の開口のフィルター（底蓋の蓋口のフィルター）を経て、Ｌ形管から本体に入る。このとき、大きなゴミがフィルターに遮られて底蓋の集塵槽に止められる。ユーザーが普通の姿勢で本願構造の機器を操作するときは、本体を斜めにすることで、本体の水や洗剤がＬ形管を通じて逆流することなくＬ形管の（出口側の）管口が水中又は液中に埋没された状態となる。これにより、本体のＬ形管の管口から噴出された小さなゴミは有効に水又は液体と混じり合う。この場合、仕切り板により水又は液体の飛沫を遮り、導流板で水分が導孔から排出されるので、ローリング中の液体が上蓋へ流れ込むのを防止できる。このようにして濾過後の浄化空気は仕切り板の中空の頸環を通じて流れ、上蓋のフィルター、輸出口を経て、掃除機の吸塵パイプから集塵パックへ収集される。このとき、少量の水分が仕切り板の中空の頸環から流入されても、上蓋のフィルターにより水が掃除機への侵入を防止する。このように、本体内の仕切り板で水又は液体の飛沫を遮り、導流板で水分を導孔から排出し、また水分が多少導孔から入っても、これを上蓋のフィルターで遮るので、掃除機本体に水又は液体の侵入を防止することができる。したがって、掃除機のモーターが水で錆びたり故障したりするのを防止することができる。また、大きなゴミを底蓋の集塵槽に止め、小さなゴミを本体の水洗濾過の過程で水中又は液中に沈下させるので、大きなゴミと小さなゴミに分類をすることができ、また、掃除機から排気される空気に粉塵や埃を著しく減少し、空気の二次汚染を防止することができる。他面、掃除機の集塵袋にゴミのたい積を防ぐので、集塵袋の使用時間を延ばし、集塵袋の交換回数を減らすことができ、また掃除機の最高の吸引パワーを保つことができる。さらに、本体内に洗剤を入れた場合には、ゴミの濾過、消毒及び殺菌効果があるので、掃除機の排気から臭いを除去する除臭効果がある。またさらに、この濾塵器（水洗式濾塵構造）を吸塵パイプの一部としてもよく、接続用のジョイントによって、種々のメーカーの掃除機パイプとして使用することもできる。
【考案を実施するための最良の形態】
【０００９】
以下、本考案の一実施の形態を図１乃至図７を用いて説明する。図１は水洗式濾塵構造１０の分解斜視図であり、図２はその組み立て後の全体斜視図である。この水洗式濾塵構造１０は、図１に示すように、中空の容器からなり、水や洗剤類を入れる本体１１と、本体１１の中に配置され、空気を流す管材１２と、本体１１内部に配置され、本体１１内部を２室に分ける導孔構造を有する仕切り板１３と、本体１１底部に設けられ、エアパイプを接続し、大きなゴミを濾過収集する機能を有する底蓋１４と、本体１１頂部に設けられ、吸塵パイプを接続し、水分を濾過する機能を有する上蓋１５とを備え、これら各部材１１、１２、１３、１４、１５が、図２に示すように、組み立てられる。
【００１０】
図３にこの水洗式濾塵構造１０の断面図を示している。図３に示すように、本体１１は縦方向に長い四角柱形など、長い筒形の中空容器で、底面１１１に防水ガスケット１１３の円孔１１２が設けられている。なお、管材１２を円孔１１２につないで本体１１内に配置するため、円孔１１２は底面１１１の中心ではなく、中心から離れた位置に設けておくことが好ましい。上には頂口１１４が形成され、頂口１１４の縁に気密性を有する接着しま１１６が設けられている。また、本体１１の相互に対向する２側壁の内面に導條（仕切り板１３の支持部）１１５が設けられ、別の側壁の外面上部に持ちやすい取っ手１１７が設けられている。なお、この本体１１の中には水や洗剤などが適量だけ注入されるので、水量又は液量がわかりやすいように、本体１１外部に目盛りを刻設又は印刷などにより付けておくことが望ましい。
【００１１】
管材１２にＬ形管が採用され、本体１１の中に配置されている。一方の管口１２１は本体１１底部の円孔１１２へつなぎ、他方の管口１２２は本体１１側壁（この場合、取っ手１１７を有する側壁に対向する側壁）に向けられる。なお、このＬ形管は逆Ｕ形管に代えてもよい。
【００１２】
仕切り板１３はペア式彎曲板で構成される。一方は上から下へ順に斜板１３１、垂直板１３２、水平板１３３を繋ぐ一体構造をなす。垂直板１３２に孔を有する。水平板１３３に排水用の開口１３６を有する。他方は垂直板の導流板１３４で、その上部に斜板の斜導板１３７が一体に設けられている。導流板１３４に孔を有する。垂直板１３２の右側に平行に導流板１３４が、これら二つの板１３２、１３４の間に導孔効果を有する中空の頸環１３５が介在されて連結される。このようにして導流板１３４の孔、頸環１３５、垂直板１３２の孔が連通される。この仕切り板１３は本体１１の頂口１１４から本体１１内に入れられる。垂直板１３２が本体１１両側壁の導條１１５に支えられて、斜板１３１と水平板１３３の端縁部が本体１１の上下の壁面に当接される。なお、本体１１両側壁に導條１１５が設けられていることで、この仕切り板１３の取り付け、取り出しが容易になっている。このようにして仕切り板１３の周辺は本体１１と密着され、本体１１内部が上下二室１１Ａ、１１Ｂに分けられる。小さい上室１１Ａは浄気室、大きい下室１１Ｂは水洗室となる。
【００１３】
底蓋１４は本体１１の下に開閉可能に設けられている。この底蓋１４は略逆四角錐形に形成され、その中に集塵槽１４１が設けられている。集塵槽１４１の底にはエアパイプ２２をつなぐ中空挿孔１４２が設けられている。蓋口１４４に大きなゴミを遮るフィルター１４３があり、その縁部に気密性を有する接着しま１４５が設けられている。また、集塵槽１４１の底部に中空挿孔１４２を閉じる活葉のような膜片１４６が取り付けられている。
【００１４】
上蓋１５は本体１１の上（ヘッド）に開閉可能に設けられている。この上蓋１５は底蓋１４と略同じ形状で、その中に容槽１５１が設けられている。この上蓋１５のヘッドに輸出口１５２が突状に設けられ、この輸出口１５２にジョイント１６が設けられて、このジョイント１６により掃除機の吸塵パイプ２１が接続可能になっている。蓋口１５４の中に、空気の流れに含まれる水分を遮るフィルター１５３が設置されている。また、蓋口１５４の縁部に気密性を有する接着しま１５５が設けられている。
【００１５】
ジョイント１６は、上蓋１５の輸出口１５２の収束環１６２と、輸出口１５２の外の円錐形套管１６１とからなる。円錐形套管１６１を輸出口１５２の外壁の螺旋に合わせてねじ込み、收束環１６２を締め込むようになっている。したがって收束環１６２に掃除機の吸塵パイプ２１を嵌め合わせて、套管１６１を締め込むことにより、收束環１６２を強く圧迫し、收束環１６２の環口を圧縮して、吸塵パイプ２１を締め込み固定することができる。反対に、套管１６１を逆に回すと、收束環１６２の環口を緩くすることができ、この收束環１６２の伸縮効果を利用して、各種メーカーの異なる掃除機の吸塵パイプ（導管）２１を接続することもできる。
【００１６】
図４にこの水洗式濾塵構造１０の使用例を示している。上蓋１５のヘッドにあるジョイント１６により、掃除機２０のパイプ２１がしっかりと接続される。底蓋１４の中空挿孔１４２にエアパイプ２２が差し込まれる。このエアパイプ２２の先端には吸塵モップ２３が接続されている。このようにして水洗式濾塵構造１０はパイプの一部となす。
【００１７】
図５にこの水洗式濾塵構造１０の動作例を示している。図５に示すように、本体１１の中に濾過用又は消毒用として、適量の水や洗剤を約全容量の４分の１まで入れておく。本体１１外部の目盛りにより水又は液体の注入量がわかりやすい。掃除機２０の電源を入れると、掃除機２０に吸引力が発生し、吸塵モップ２３から外の空気が吸い込まれる。この空気はエアパイプ２２を経て、濾塵構造１０に入る。この場合、空気はまず底蓋の膜片１４６を吹き上げて、中空挿孔１４２を開け、集塵槽１４１へ流れ入る。ここで大きなゴミはフィルター１４３に遮られて集塵槽１４１に収集される。この濾過作用により、空気には小さなゴミしか残らず、空気はＬ形管１２を経て本体へ１１に入っていく。ユーザーは掃除機を操作するときに、吸塵パイプ２１を床面に対して斜めにしても直角にしてもよいが、通常は斜めにして使用する場合が多い。このため、本体１１のＬ形管１２の形状により水や洗剤がＬ形管１２から逆流することがなく、また、このＬ形管１２は管口１２２が水中に埋没された状態となる。なお、逆流防止のため、既述のとおりＬ形管の代えて逆Ｕ形管が採用されても同様である。空気の流れは本体１１のＬ形管の管口１２２から噴出され、水中に打ち込まれる。空気の流れの圧力により、本体の下室１１Ｂの水がローリングされ、空気中の小さなゴミ、例えば、埃や砂や髮などは水中に沈みこむ。このとき、仕切り板１３で、ローリング中の水の飛沫が上蓋１５へ入るのを防止され、導流板１３４の上の斜導板１３７により、水気を抑制し、浄化された空気が中空の頸環１３５へ流れる速度を下げる。続いて、水洗後の清潔な空気が上室１Ａへ、また上蓋１５のフィルター１５３を経て再度濾過される。この二度目の濾過により、空気中のわずかな水分がフィルター１５３で遮られ、上蓋１５内に止められる。このフィルター１５３上で水分は水玉に結んで、その重さで上室１Ａに落ち、さらに水平板１３３上の開口１３６を経て、本体の下室１１Ｂへ落ちる。このようにして輸出口１５２から清潔かつ爽やかな空気だけが排出され、掃除機のパイプ２１を経て集塵袋に流入される。この場合、乾燥した空気が掃除機２０に入るために、掃除機のモーターが錆びたり故障したりする恐れがない。なお、掃除機２０の電源を切ると、吸引力が停止されて、底蓋１４の膜片１４６が自動的に閉じ、集塵槽１４１の大きなゴミが導管２２に落ちることなく、集塵層１４１に止められる。
【００１８】
図６に本体１１から底蓋１４と上蓋１５を開けた状態を示している。図６に示すように、底蓋１４と上蓋１５は回転バックル方式で本体１１に開閉される。これにより、フィルター１４３、１５３を取り出したり、底蓋の集塵槽１４１から大きなゴミを除去したり、またフィルター１４３、１５３や集塵層１４１を掃除したり、さらに本体１１の水その他液体を交換したりする場合に、かなり便利である。
【００１９】
以上、本考案を実施するための最良の形態について詳しく説明してきたが、本考案の要旨の範疇内で、この実施するための最良の形態で採用された技術に業者自身がアレンジすることもできる。ともあれ、業者によるアレンジが、本考案の要旨を超えない同等の変更である限り、すべて本考案のアイデアに含まれるものである。
【図面の簡単な説明】
【００２０】
【図１】本考案の一実施の形態における水洗式濾塵構造の構成を示す分解斜視図
【図２】同濾塵構造の構成を示す組立後の斜視図
【図３】同濾塵構造の構成を示す断面図
【図４】同濾塵構造の使用例を示す斜視図
【図５】同濾塵構造の動作例を示す断面図
【図６】同濾塵構造の特に底蓋及び上蓋の動作例を示す斜視図
【図７】従来の掃除機濾過器を示す斜視図
【図８】同掃除機濾過器の動作例を示す断面図
【符号の説明】
【００２１】
１０  水洗式濾塵構造
１１  本体
１１Ａ  上室
１１Ｂ  下室
１１１  底面
１１２  円孔
１１３  防水ガスケット
１１４  頂口
１１５  導條
１１６  接着しま
１１７  取っ手
１２  Ｌ形管
１２１、１２２  管口
１３  仕切り板
１３１  斜板
１３２  垂直板
１３３  水平板
１３４  導流板
１３５  頸環
１３６  開口
１３７  斜導板
１４  底蓋
１４１  集塵槽
１４２  中空挿通孔
１４３  フィルター
１４５  接着しま
１４６  膜片
１５  上蓋
１５１  容槽
１５２  輸出口
１５３  フィルター
１５４  蓋口
１５５  接着しま
１６  ジョイント
１６１  円錐形套管
１６２  収束環
２１  吸塵パイプ
２２  エアパイプ
【図１】
0003105922.tif 000003
【図２】
0003105922.tif 000004
【図３】
0003105922.tif 000005
【図４】
0003105922.tif 000006
【図５】
0003105922.tif 000007
【図６】
0003105922.tif 000008
【図７】
0003105922.tif 000009
【図８】
0003105922.tif 000010